(57)【要約】本発明は、自動車内装部品用の調節装置（１）に関するものであり、前記調節装置は、例えば車両シート及び／又は前記車両シートの構成要素の１つを調節するために使用され、且つハウジング（３）を含み、ハウジング内に回転要素（２）が回転軸（１００）を中心に回転可能に設けられる。第１ロック要素（２１）が回転要素（２）に対して回転方向に固定され、第２ロック要素（２２）がハウジング（３）に設けられ、前記ロック要素は、ロック要素（２１，２２）が形状嵌合及び／又は摩擦係合で相互作用するロック状態から、形状嵌合及び／又は摩擦係合が解除される調節状態へと互いに対して可逆的に移動可能である。調節装置はアダプタープレート（２３）を有し、アダプタープレートは回転要素（２）とハウジング（３）に対して回転可能に設けられ、且つ少なくとも一時的にロック要素（２１，２２）を駆動する。
2015534018.tif 000002
【特許請求の範囲】
【請求項１】
自動車内装部品用の調節装置（１）であって、ハウジング（３）を備え、前記ハウジング内に回転要素（２）が回転軸（１００）を中心に回転可能に設けられ、第１ロック要素（２１）が前記回転要素（２）に対して回転方向に固定され、第２ロック要素（２２）が前記ハウジング（３）に設けられ、前記ロック要素は、前記ロック要素（２１、２２）が形状嵌合及び／又は摩擦係合で相互に作用するロック状態から、前記形状嵌合及び／又は摩擦係合が解除される調節状態へと、互いに対して可逆的に移動させることができ、前記調節装置はアダプタープレート（２３）を有し、前記アダプタープレートは、前記回転要素（２）及び前記ハウジング（３）に対して回転可能に設けられ且つ少なくとも一時的に前記ロック要素（２１，２２）を駆動することを特徴とする、調節装置（１）。
【請求項２】
前記第２ロック要素（２２）は、金属部品、特に板金部品として設けられることを特徴とする、請求項１に記載の調節装置（１）。
【請求項３】
前記ばね要素は、好ましくは前記アダプタープレート（２３）の方向にプレテンションされることを特徴とする、請求項２に記載の調節装置（１）。
【請求項４】
前記第２ロック要素（２２）は締結手段（３４）を有し、前記ロック要素は前記締結手段（３４）によって前記ハウジングに固定されることを特徴とする、請求項１から３のいずれか１項に記載の調節装置（１）。
【請求項５】
前記締結手段（３４）はスナップファスナーであることを特徴とする、請求項４に記載の調節装置（１）。
【請求項６】
形状嵌合及び／又は摩擦係合手段（３２）が、前記締結手段（３４）から離れて前記第２ロック要素（２２）に設けられ、ロック状態で前記第１ロック要素（２１）と形状嵌合及び／又は摩擦係合で相互作用することを特徴とする、請求項４又は５に記載の調節装置（１）。
【請求項７】
前記形状嵌合及び／又は摩擦係合手段は、変形、一次成形又は切断によって前記第２ロック要素（２２）の材料に組み込まれることを特徴とする、請求項６に記載の調節装置（１）。
【請求項８】
前記アダプタープレート（２３）に設けられた作動手段（３６）と相互作用するロック解除要素（３５）が、前記第２ロック要素に、特に前記締結手段（３４）から離れて設けられることを特徴とする、請求項１から７のいずれか１項に記載の調節装置（１）。
【請求項９】
前記ロック解除要素は、前記第２ロック要素の材料に隆起及び／又はくぼみとして設けられることを特徴とする、請求項８に記載の調節装置（１）。
【請求項１０】
前記第２ロック手段（２２）は、ロック状態から調節状態へ変位方向（１０１）に沿って少なくとも一部が移動することを特徴とする、請求項１から９のいずれか１項に記載の調節装置（１）。
【請求項１１】
前記隆起（３５）は変位方向に対して斜めの面（３５．１）を有することを特徴とする、請求項１１に記載の調節装置（１）。
【請求項１２】
前記調節装置は車両シートの一部であることを特徴とする、請求項１から１１のいずれか１項に記載の調節装置（１）。
【発明の詳細な説明】
【技術分野】
【０００１】
本発明は、例えば、車両シート及び／又はその構成要素の１つを調節するために使用される、特に自動車内装部品用の調節装置に関する。
【背景技術】
【０００２】
このような調節装置は従来技術から知られており、いずれの場合も、調節装置がブレーキリングとブレーキ要素との間の摩擦係合に基づいてロックされることを確実にするロック装置を有する。ロックは、ユーザによって調節動作が開始されるときのみ解除される。しかしながら、振動が発生した場合に、摩擦係合接続が損なわれ、それによって自動車内装部品の意図しない調節が行われるおそれがある。
【発明の概要】
【発明が解決しようとする課題】
【０００３】
従って、本発明の目的は、特に振動による意図しない調節のおそれが少なくとも低減され、同時に、本来の特性を変えることなく、特にアイドリング行程を増大させることなく、簡単な取り扱い及びモジュール式の、従って特にコスト効率の良い生産が可能になる、調節装置を提供することである。
【課題を解決するための手段】
【０００４】
この目的は、特に自動車内装部品用の調節装置であって、ハウジングを備え、ハウジング内に回転要素が回転軸を中心に回転可能に設けられ、第１ロック要素が回転要素に対して回転方向に固定され、第２ロック要素がハウジングに対して回転方向に固定され、前記ロック要素は、ロック要素が形状嵌合及び／又は摩擦係合で相互に作用するロック状態から、形状嵌合及び／又は摩擦係合が解除される調節状態へと、互いに対して可逆的に移動させることができ、調節装置はアダプタープレートを有し、アダプタープレートは回転要素及びハウジングに対して回転可能に設けられ且つ少なくとも一時的にロック要素を駆動する調節装置によって達成される。
【０００５】
本発明は、特に自動車内装部品用の調節装置に関する。後者はハウジングを有し、ハウジング内に回転要素が回転軸を中心に回転可能に設けられる。例えば、ハウジングは第１部分に設けられ、回転要素は第１部分に対して回転可能な第２部分に設けられる。また、調節装置は少なくとも第１及び第２ロック要素で構成されるロック装置を有し、第１ロック要素は回転要素に対して回転方向に固定され、且つ第２ロック要素はハウジングに対して回転方向に固定される。２つのロック要素は形状嵌合及び／又は摩擦係合手段を有し、形状嵌合及び／又は摩擦係合手段は、ロック状態では、形状嵌合及び／又は摩擦係合で作用し、それによって少なくとも回転要素とハウジングとの間の意図しない相対運動を極めて実質的に防止する。この形状嵌合及び／又は摩擦係合は、調節状態では可逆的に解除される。
【０００６】
好ましい実施形態によれば、第１ロック要素は、２次元の設計、詳細にはディスクの形状及び／又はバーの形状のものである。形状嵌合及び／又は摩擦係合手段は、特に好ましくは構造体、詳細には歯状構造体、詳細には１つ以上の歯である。ロック要素は、特に極めて好ましくは、外周に歯部を有する円形ディスク、詳細にはピニオンであり、前記ディスクは、例えばその中央にある穴によって、好ましくは一体的に結合される係合、詳細には溶接部によって、回転要素に対して回転方向に固定されるように結合される。それによって、有利な方法で従来の標準的な要素を使用できるようにすることが可能となり、このことは、調節装置の高度なモジュール化、及び従って直接的且つ／又は間接的なコスト削減を意味する。また、このようにして有利に第２ロック要素との良好な形状嵌合及び／又は摩擦係合を達成することができる。
【０００７】
第２ロック要素は、好ましくは、特に概ね縦方向の延びを有する実質的に２次元の広がりを有し、且つ、特にウェブの形で形成される。第２ロック要素は、好ましくは、曲げ及び／又はパンチング板金部品である。前記ロック要素は、特に好ましくは、ばね鋼から作られる。第２ロック要素は、特に極めて好ましくは、ハウジング全体の断面にわたって、実質的に少なくとも１つの方向に延びを有する。更に好ましくは、第２ロック要素は、特に一端に、少なくとも１箇所に、ハウジングへの固定接続のための締結手段を有する。第２ロック要素とハウジングとの結合は、好ましくは、スナップ結合である。有利な実施形態によれば、固定手段は、当業者に既知の方法でハウジングに固定される、突起部を備えたウェブを有する。第２ロック要素は、好ましくは、調節装置のハウジング全てにわたり中央に延びる。前記ロック要素は、好ましくは、少なくともその中心部に、回転要素が取り付けられる凹部及び／又は形成物を有し、その結果、第１ロック手段及び／又は回転要素は回転可能に取り付けられ、一方、第２ロック要素は固定位置のままである。
【０００８】
更に有利な実施形態によれば、第２ロック要素の形状嵌合及び／又は摩擦係合手段は、第１ロック要素の形状嵌合及び／又は摩擦係合手段に対応する構造体として形成される構造体、詳細には歯形構造体を有する。ロック状態では、第２ロック要素の歯形構造体は、好ましくは、第１ロック要素の歯状構造体に係合し、一方、調節状態では、歯形構造体は、歯付き構造体から係合解除される。
【０００９】
好ましい実施形態によれば、第２ロック要素の少なくとも一部、詳細には第２ロック要素の一端が、軸方向の変位方向に沿って移動可能に取り付けられることが定められる。詳細には、ロック装置をロック状態から調節状態に変えるために、第２ロック要素は、第１ロック要素の歯が第２ロック要素の歯状構造体から係合解除されるように、少なくとも部分的に変位方向に沿って変位させられる。第２ロック要素は、好ましくは、回転要素の回転軸に平行な方向成分で移動する。しかしながら、回転要素の回転軸に対する第２ロック要素の半径方向の変位方向も考えられる。
【００１０】
第２ロック要素は、好ましくは、第１ロック要素の方向又は異なる方向にプレテンションされる。
【００１１】
好ましい実施形態によれば、第２ロック要素はロック解除要素を有し、ロック解除要素は、好ましくは、作動手段と反対方向に面した側にある材料隆起の形態であることが定められている。しかしながら、前記ロック解除要素は、くぼみであることもできる。作動手段は、好ましくは、回転要素及び／又は第２ロック要素に対して移動可能に、詳細には回転可能に設けられたアダプタープレート上に設けられる。作動手段は、特に好ましくは、アダプタープレートから形成される。しかしながら、作動要素は、一次成形によって又は切断法によって、第２ロック要素に設けることができる。アダプタープレートの作動手段は、特に好ましくは、材料隆起に対応する形状を有し、ロック状態では、作動手段は、第２ロック要素のロック解除要素に形状嵌合及び／又は摩擦係合で係合する。前記作動手段は、それによって第２ロック要素に作用する力及び／又はトルクを吸収することができる。しかしながら、第２ロック要素が平面を有し、第２ロック手段が変位方向に沿って変位させられるように作動手段が平面と相互作用するように設けられることも考えられる。
【００１２】
特に極めて好ましい実施形態によれば、アダプタープレートは実質的に平坦な広がり、詳細には実質的にディスク状の広がりを有し、アダプタープレートは作動手段を有し、アダプタープレートの作動手段は第２ロック要素との相互作用のために設けられる。ロック状態から調節状態への移動中、第２ロック要素、特にロック解除要素は、第２ロック要素を変位方向に沿って移動させるため、詳細には変位させるために、アダプタープレートの作動手段によって力を受ける。詳細には、ロック状態から調節状態への移動は、ロック解除要素の作動によって、従ってアダプタープレートの作動によっても行われる。
【００１３】
特に好ましい実施形態によれば、調節装置は、更に、ロック状態と調節状態との間で移動可能な更なるロック装置を有し、ロック装置は、その結果、回転要素のブレーキリングに対する回転をロックするためのロック位置と、回転要素のブレーキリングに対する回転を解放するためのロック解除位置との間での移動のために設けられる。
【００１４】
好ましい実施形態によれば、更なるロック装置は、ロック状態では、ブレーキリングとブレーキ要素との間に形状嵌合及び／又は摩擦係合、詳細には摩擦係合が生じるように設計され、一方、第１ロック装置は、ロック位置では、実質的に形状嵌合係合のみが生じるように設計される。純粋な形状嵌合係合の結合が、有利なことに、振動による回転要素の意図しない調節に対する非常に良好な固定を可能にする。
【００１５】
更に別の好ましい実施形態によれば、更なるロック装置は、ブレーキリングと回転要素との間に配置された少なくとも１つのブレーキ要素を有し、ロック装置は、その結果、回転要素のブレーキリングに対する回転をロックするロック位置と、回転要素のブレーキリングに対する回転を解放するロック解除位置との間で移動可能である。
【００１６】
ロック解除要素は、好ましくは、ロック装置をロック位置からロック解除位置へ移動させるために設けられる。自動車部品を調節するために、ロック解除要素は、その結果、単に、ロック装置と更なるロック装置の両方のロックを解除するように作動すればよい。ダブルロックにもかかわらず、乗員の快適性を損なうことはない。
【００１７】
本発明による調節装置は、好ましくは、シートの高さ調節機構、シートの傾き調節機構、背もたれの傾き調節機構、脊柱前湾サポート調節機構、ヘッドレスト調節機構などの一部である。
【００１８】
しかしながら、調節装置は、一部品の他部品に対するいかなる調節にも適している。
【００１９】
本発明の更なる詳細、特徴及び利点は、図面と、図面を参照した以下の好ましい実施形態の説明から明らかになる。図面は、ここでは単に、本発明の例示的な実施形態を示すものであり、本発明の本質的な概念を制限するものではない。
【図面の簡単な説明】
【００２０】
【図１】本発明の例示的な実施形態に係る調節装置の概略図を示す。
【図２】図１に記載の調節装置の概略断面図を示す。
【図３】図１に記載の調節装置のロック装置の第１ロック要素の概略図を示す。
【図４】本発明の例示的な実施形態に係る調節装置のロック装置の第２ロック要素の概略図を示す。
【図５】図１に記載の調節装置のロック装置の第２ロック要素の概略詳細図を示す。
【図６】図１に記載の調節装置のロック状態にあるロック装置の第１ロック要素及び第２ロック要素の概略詳細図を示す。
【図７】図１に記載の調節装置のロック状態にあるロック装置の概略詳細図を示す。
【図８】図１に記載の調節装置の調節状態にあるロック装置の概略詳細図を示す。
【図９】図１に記載の調節装置のロック状態にあるロック装置の概略断面図を示す。
【図１０】図１に記載の調節装置のロック状態から調節状態へ移行中のロック装置の概略断面図を示す。
【図１１】図１に記載の調節装置の調節状態にあるロック装置の概略断面図を示す。
【図１２】図１に記載の調節装置のロック状態にあるロック装置の概略断面図を示す。
【図１３】図１に記載の調節装置の調節状態にあるロック装置の概略断面図を示す。
【図１４】図１に記載の調節装置の可能な最大調節経路と共にロック状態にあるロック装置の第１ロック要素及び第２ロック要素の概略詳細図を示す。
【発明を実施するための形態】
【００２１】
様々な図において、同一部分は、常に同一符号が付されているので、一般にいずれの場合も一度だけ名称を挙げ又は言及する。
【００２２】
図１は、自動車構成要素（図示せず）用の、本発明の一実施形態に係る調節装置１の概略図を示す。調節装置１は、ロック状態と調節状態との間で調節可能なロック装置２０を有する。ロック状態では、好ましくは車両に取り付けたハウジング３に対する回転軸１００を中心とする回転要素２の回転が、ロック装置２０によって阻止される。ロック装置２０は、第１ロック要素２１と第２ロック要素２２とを有する。第１ロック要素２１は、回転要素２に対して回転方向に固定されるように結合される。第１ロック要素２１は、形状嵌合及び／又は摩擦係合要素３０を有する。第１ロック要素２１は、好ましくは、歯車として形成され、従って、その周縁部に歯状構造体３０を有する。第２ロック要素２２は、好ましくは、ロックばねとして形成され、好ましくは、ハウジング３に固定的に結合される。第２ロック要素２２は、好ましくは、線ＡＡに沿って縦方向の全体的な長さと、好ましくは凹部３３（図４参照）とを有し、凹部３には、好ましくは、回転要素２の回転軸が取り付けられる。前記凹部３３は、好ましくは、切削又は変形によって作られる。また、第２ロック要素２２は、形状嵌合及び／又は摩擦係合手段、例えば、歯形構造体３２を有し、形状嵌合及び／又は摩擦係合手段３２は、ロック状態で、第１ロック要素２１の形状嵌合及び／又は摩擦係合手段３０に形状嵌合及び／又は摩擦係合で結合され、それによってハウジング３に対する回転要素２の移動を阻止する。また、第２ロック要素２２は、好ましくは、ロック解除要素３５を有し、ロック解除要素３５によって、前記ロック要素は、ロック状態で、特にアダプタープレート２３に設けられた作動手段３６に形状嵌合及び／又は摩擦係合で結合される。第２ロック要素のロック状態から調節状態への移行の間、第２ロック要素２２は、特に第２ロック要素を弾性変形させることによって、好ましくは回転軸１００に平行に、変位方向１０１に沿って少なくとも一部が作動手段３６によって変位させられ、且つ第１及び第２ロック要素間の形状嵌合及び／又は摩擦係合を一時的に解除する。アダプタープレート２３は、少なくとも１つの作動手段３６と駆動部（ここでは図示せず）とを有し、駆動部によって、ロックを解除するために、詳細には回転するように、アダプタープレートを駆動することができる。駆動部は、当業者に既知の任意の形態をとることができ、当業者に既知の任意の結合によってアダプタープレート２３に結合することができる。駆動部は、好ましくは、アダプタープレート２３の縁部に結合、詳細には溶接されたレバーである。
【００２３】
図２は、図１に記載の調節装置１の交差線ＡＡに沿った概略断面図を示す。回転要素２は、回転軸１００を中心に回転可能に取り付けられる。アダプタープレート２３は、ハウジング３と回転要素２の両方に対して移動可能、詳細には回転可能であるように設けられる。アダプタープレートは、アダプタープレート２３の回転によって、ロック解除要素３５が作動手段３６により力を受け、その結果、第２ロック要素２２が変位方向１０１に変位させられ且つロックが解除されるように設計される。このために、作動手段とロック手段の両方が、好ましくは、いずれも少なくとも１つの斜面状の面を有し、その結果として、アダプタープレート２３が平面内で移動すると、第２ロック要素２２が前記平面に対してある角度で、詳細には直角に変位方向１０１に沿って移動する。アダプタープレート２３は、好ましくは、制限手段受け入れ手段２５を有し、アダプタープレート２３の可能な調節経路は、ハウジング３の対応する制限手段２４によって、作動手段３６が第２ロック手段２２と接触しなくならないように制限される。これにより、調節装置１の望ましくないロックが有利に阻止される。ハウジング手段は、特に極めて好ましくは、アダプタープレート２３をその元の位置に戻すために設けられた、ばね手段３７を有する。アダプタープレート２３のその元の位置への移動、詳細には回転の間に、第２ロック要素２２は、変位方向１０１に対して反対方向にそのロック位置へと跳ね返る。
【００２４】
図３は、調節装置１のロック装置２０の第１ロック要素２１の概略図である。第１ロック要素２１は、ここでは凹部３１によって、回転要素２に対して回転方向に固定されるように結合され、且つ、ロック状態では、ここでは歯状構造体３０によって、第２ロック要素２２と形状嵌合係合で結合する。
【００２５】
図４は、調節装置１のロック装置２０の第２ロック要素２２の概略図を示す。第２ロック要素２２は、好ましくは、曲げ板金部品として、詳細にはばね鋼から作られる。前記ロック要素は、好ましくは、ウェブ形状のロックばねとして設計され、凹部３３と締結手段３４とを有する。第２ロック要素２２は、締結手段３４及び／又は任意で凹部３３によってハウジング３に位置が固定されるように接続され、好ましくは、一端のみ、詳細にはロック解除要素３５及び／又は形状嵌合及び／又は摩擦係合手段３２の反対側にある端部がハウジングに接続され、その結果、ロック解除要素３５及び／又は形状嵌合及び／又は摩擦係合手段３２が設けられている他端は、変位方向１０１に沿って移動することができる。第２ロック要素２２は、好ましくは、調節装置１と反対方向に面した側にある材料隆起として設計されたロック解除要素３５を有する。前記形成物は、好ましくは、傾斜面３５．１を有し、傾斜面３５．１は、第２ロック手段の変位方向１０１の動きを生じるために、作動手段にある対応する面、詳細には斜めの面と相互作用する。ロック解除要素３５は、特に好ましくは、角錐台として設計される。ロック状態では、第２ロック要素２２は、ロック解除要素３５によってアダプタープレートの作動手段３６に形状嵌合及び／又は摩擦係合で結合される。回転軸１００を中心とするアダプタープレート２３の回転によってもたらされるロック状態から調節状態への移行中に、ロック解除要素３５は作動手段３６により力を受け、それによって変位方向１０１に沿って移動させられる。この過程で、第２ロック要素２２は、好ましくは弾性変形する。また、第２ロック要素２２は、形状嵌合及び／又は摩擦係合手段３２、ここでは歯形構造体３２を有し、形状嵌合及び／又は摩擦係合手段３２によって、前記ロック要素は、ロック状態で、第１ロック要素２１の形状嵌合及び／又は摩擦係合手段３０、ここでは歯状構造体３０に形状嵌合及び／又は摩擦係合で結合される。形状嵌合及び／又は摩擦係合手段は、好ましくは、パンチング及び／又は変形によってロック要素２２に組み込まれる。
【００２６】
図５は、調節装置１のロック装置２０の第２ロック要素２２の概略詳細図を示す。詳細には、ここには第２ロック要素２２のアダプタープレート２３及び／又はハウジング３に面する側面が示されている。材料隆起によってもたらされ、且つロック状態で、作動手段３６に形状嵌合及び／又は摩擦係合で結合されるロック解除要素３５のくぼみは、ロック要素２２の歯形構造体３２と同様に、明瞭に見ることができる。
【００２７】
図６は、調節装置１のロック状態にあるロック装置２０の第１ロック要素２１及び第２ロック要素２２の概略詳細図を示す。第２ロック要素２２の歯形構造体３２は、第１ロック要素２１の歯状構造体３０に形状嵌合係合で結合される。
【００２８】
図７は、ロック装置のロック状態から調節状態への移行を示す。作動手段３６は既にロック解除要素３５に対して変位させられているが、まだ歯形構造体３２が歯状構造体３０から解放され且つ調節装置のロックが解除される程ではない。
【００２９】
図８は、調節状態にあるロック装置２０を示す。アダプタープレート２３及びひいては駆動手段３６は、歯状構造体３２と歯付き構造体３０との間の形状嵌合係合の結合が解除されるのに十分な程度に第２ロック要素２２が変位方向１０１の方向へ移動するように、第２ロック要素２２及び特にロック解除要素３５に対して変位させられる。アダプタープレート２３にある凹部２５と協働している、ハウジングに取り付けた制限手段２４が、第１及び第２ロック手段間の望ましくないロックをもたらすという結果を招く、アダプタープレートの、ここでは反時計回りの更なる回転を防止することが明瞭に分かる。
【００３０】
図９は、調節装置１のロック状態にあるロック装置２０の概略断面図を示す。第２ロック要素２２は、アダプタープレート２３に当接し、好ましくは、アダプタープレート２３の方向にプレテンションされる。ロック解除要素３５は、作動手段３６を受け入れる。歯状構造体３０と歯形構造体３２は、形状嵌合係合で結合される。
【００３１】
図１０は、調節装置１のロック状態から調節状態へ移行中のロック装置２０の概略断面図を示す。第２ロック要素２２は、既に調節装置１のロックが解除される程度に変位方向１０１に変位させられているが、アダプタープレートは依然として最大の可能な調節経路をカバーしていない。例えば、アダプタープレート２３の４°の回転が第２ロック要素２２の１ｍｍの調節経路に対応する。これは、この例では完全なロック解除に相当する。ロック要素２１，２２のロックが解除されているが、アダプタープレートが依然として利用できる調節経路を有することによって、比較的大きな製作公差を許容することができる。
【００３２】
図１１は、調節装置の調節状態にあるロック装置２０の概略断面図を示す。調節装置１は完全にロック解除され、制限手段２４は制限手段受け入れ手段２５に対して移動させられている。例えば、アダプタープレート２３は、ここでは３０°回転させられている。
【００３３】
図１２は図９と同じ状態を示す。
【００３４】
図１３は図１１と同じ状態を示す。
【００３５】
図１４は図６と同じ状態を示し、歯状構造体３２は、ここではロック要素２１，２２間に一定量の遊びが設けられるように歯状構造体３０に対して配置及び／又は形成されるが、前記遊びは、例えば、最大で９．５°である。回転要素２は同様に、ロック状態でハウジングに対して同じ角度だけ移動することができる。
【００３６】
ロック解除位置又は調節状態では、回転要素２は、好ましくは、回転軸１００を中心に回転可能な駆動手段によって駆動される。回転要素２は、自動車内装部品、例えば、シートの高さ調節機構、シートの傾き調節機構、背もたれの傾き調節機構、脊柱前湾サポート調節機構、又はヘッドレスト調節機構を作動させるように働く。
【符号の説明】
【００３７】
１  調節装置
２  回転要素
３  ハウジング
２０  ロック装置
２１  第１ロック要素
２２  第２ロック要素
２３  アダプタープレート
２４  制限手段
２５  制限手段受け入れ手段、凹部
３０  形状嵌合及び／又は摩擦係合手段、歯状構造体
３１  凹部
３２  形状嵌合及び／又は摩擦係合手段、歯形構造体
３３  凹部
３４  締結手段
３５  ロック解除要素、隆起
３５．１  斜面
３６  作動手段
３７  ばね手段、渦巻ばね
１００  回転軸
１０１  変位方向
ＡＡ  断面
【図１】
2015534018.tif 000003
【図２】
2015534018.tif 000004
【図３】
2015534018.tif 000005
【図４】
2015534018.tif 000006
【図５】
2015534018.tif 000007
【図６】
2015534018.tif 000008
【図７】
2015534018.tif 000009
【図８】
2015534018.tif 000010
【図９】
2015534018.tif 000011
【図１０】
2015534018.tif 000012
【図１１】
2015534018.tif 000013
【図１２】
2015534018.tif 000014
【図１３】
2015534018.tif 000015
【図１４】
2015534018.tif 000016
【国際調査報告】
2015534018.tif 000017
2015534018.tif 000018
2015534018.tif 000019
2015534018.tif 000020